(57)【要約】      （修正有）【課題】構造が簡単で、安価に製造でき、しかも装着時に呼気、吸気がマスク本体を通らずに外部と連通するのを防止するマスクを提供する。【解決手段】フィルター機能を備えるマスク本体と、マスク本体の両側部に設けた耳かけ部とを有し、マスク本体を形成する不織布部材１の上端部を顔面に対向する内側に所定の幅に少なくとも一回折曲げて帯状の肉厚部４を形成し、肉厚部の長手方向中央部分５を不織布部材の内側面を接着して肉厚部の中央部分付近の裏側が使用者の鼻尖上に当接する当接部を構成し、肉厚部の下の位置で不織布部材の端縁部に各耳かけ部の一端を固着し、各耳かけ部を耳に掛けた際に中央部分から端縁部まで伸びる肉厚部の側方部分７の各々を顔面側に折り込んで頬部位に当接させ、装着時に肉厚部の長手方向に沿った上端縁部１１が使用者の鼻尖から鼻翼及び頬に沿って密着するように構成した。【選択図】図３
0003188554.tif 000002
【実用新案登録請求の範囲】
【請求項１】
フィルター機能を備えマスク本体と、
マスク本体の両側部に設けた耳かけ部と
を有し、
マスク本体を形成する不織布部材の上端部を顔面に対向する内側に所定の幅に少なくとも一回折曲げて帯状の肉厚部を形成し、
帯状の肉厚部を不織布部材の内側面に接着して帯状の肉厚部の中央部分付近の裏側が使用者の鼻尖上に当接する当接部を構成し、
帯状の肉厚部の下方位置で不織布部材の端縁部に各耳かけ部の一端を固着し、各耳かけ部を耳に掛けた際に帯状の肉厚部の中央部分から端縁部まで伸びる帯状の肉厚部の側方部分の各々を顔面側に折り込んで各耳かけ部により顔面の頬部位に当接させるように構成し、装着時に帯状の肉厚部の長手方向に沿った上端縁部が使用者の鼻尖から鼻翼及び頬に沿って密着するように構成したこと
を特徴とするマスク。
【請求項２】
上記マスク本体を形成する不織布部材が四辺形であり、上記マスク本体の両側部に設けた上記耳かけ部が伸縮性の紐で構成されることを特徴とする請求項１記載のマスク。
【請求項３】
また、マスク本体の両側部に設けた耳かけ部が四辺形の不織布部材の四隅に一体的に形成されていることを特徴とする請求項１記載のマスク。
【請求項４】
上記帯条の肉厚部の幅が５ｍｍ〜４５ｍｍの範囲で任意に設定されることを特徴とする請求項１〜３のいずれか一項記載のマスク。
【考案の詳細な説明】
【技術分野】
【０００１】
本考案は、装着時に呼気、吸気がマスク本体のフィルター部材を通らずに外部と連通するのを防止するマスクに関するものである。
【背景技術】
【０００２】
従来、装着時に呼気、吸気がマスク本体のフィルター部材を通らずに外部と連通するのを防止するように構成したマスクは、種々提案されている。例えば、特許文献１、特許文献２、特許文献３及び特許文献４参照。
【０００３】
特許文献１には、マスクの周囲部と顔面との間から外気の進入や呼気漏れを防止するため、多孔性のマスク本体部の顔面に対向する側の周辺部の全周にわたって所定幅をもつ装着部を設け、この装着部が顔面の凹凸に合わせて変形する発泡部材と、マスク本体部の周辺部の全周で顔面に隙間なく接着される接着性部材とから成るマスクが記載されている。
【０００４】
特許文献２には、マスク本体の下部に、顔面との間に吐気の排出口を形成する凹部を設けた眼鏡の曇らないマスクが記載されている。
【０００５】
特許文献３には、一対のシートの一端縁を湾曲状に接合して前方へ膨出するカップ状に形成したマスク本体を有し、マスク本体の各シートの上端縁のそれぞれに、上方に突出する山形カーブの突出片を対称に設け、各突出片の内側面にパッドを設けて成るマスクが記載されている。
【０００６】
特許文献４には、フィルターを形成する波形不織布を、その波形形状を維持する形状維持手段に固定した複合構造のマスクが記載されている。
【０００７】
しかし、特許文献１に記載されたマスクでは、多孔性のマスク本体部の顔面に対向する側の周辺部の全周にわたって装着部を設け、しかも、この装着部が顔面の凹凸に合わせて変形する発泡部材と、マスク本体部の周辺部の全周で顔面に隙間なく接着される接着性部材とより構成されているので、材料費や製造コストが嵩み、使い捨てマスクとして使用するには実用的ではない欠点がある。また、特許文献２に記載されたマスクは、眼鏡の曇らないマスクとしてはある程度効果があるかも知れないが、マスク本体の下部が外部へ開放していることからして、マスク本来の機能である外部からの花粉、粉塵や病原菌の侵入を防ぐことができないだけでなく、呼気中に含まれる病原菌やウイルスの飛散を十分に防ぐことができない。さらに、特許文献３及び特許文献４に記載のマスクは、構造が複雑であり、製造コストが高くなり、使い捨てマスクとしての実用性には適していない。
【先行技術文献】
【特許文献】
【０００８】
【特許文献１】特開２００５−１３４９２号公報
【特許文献２】実用新案登録第３０７５１７８号公報
【特許文献３】実用新案登録第３１７４１７０号公報
【特許文献４】米国特許第５，８０４，２９５号明細書
【考案の概要】
【考案が解決しようとする課題】
【０００９】
そこで、本考案の目的は、従来の多量生産に適した安価な使い捨てマスクを改良して、装着時の眼鏡の曇りを防止できると共に、花粉、粉塵、病原菌、ウイルスなどの吸引侵入並びに使用者の呼気中に含まれる病原菌やウイルスの飛散を防止できるマスクを提供することにある。
【課題を解決するための手段】
【００１０】
上記の目的を達成するために、本考案によれば、
フィルター機能を備えマスク本体と、マスク本体の両側部に設けた耳かけ部とを有し、マスク本体を形成する不織布部材の上端部を顔面に対向する内側に所定の幅に少なくとも一回折曲げて帯状の肉厚部を形成し、帯状の肉厚部を不織布部材の内側面に接着して帯状の肉厚部の中央部分付近の裏側が使用者の鼻尖上に当接する当接部を構成し、帯状の肉厚部の下方位置で不織布部材の端縁部に各耳かけ部の一端を固着し、各耳かけ部を耳に掛けた際に帯状の肉厚部の中央部分から端縁部まで伸びる帯状の肉厚部の側方部分の各々を顔面側に折り込んで各耳かけ部により顔面の頬部位に当接させるように構成し、装着時に帯状の肉厚部の長手方向に沿った上端縁部が使用者の鼻尖から鼻翼及び頬に沿って密着するように構成したことを特徴とするマスクが提供される。
マスク本体を形成する不織布部材は四辺形であり、マスク本体の両側部に設けた上記耳かけ部は伸縮性の紐で構成され得る。
また、マスク本体の両側部に設けた耳かけ部は四辺形の不織布部材の四隅に一体的に形成され得る。
好ましくは、帯条の肉厚部の幅は例えば使用する年齢層や性別などに応じて５ｍｍ〜４５ｍｍの範囲で任意に設定され得る。
【考案の効果】
【００１１】
本考案に係るマスクは、マスク本体を形成する不織布部材の上端部を顔面に対向する内側に所定の幅に少なくとも一回折曲げて帯状の肉厚部を形成し、帯状の肉厚部を不織布部材の内側面に接着して帯状の肉厚部の中央部分付近の裏側が使用者の鼻尖上に当接する当接部を構成し、帯状の肉厚部の下方位置で不織布部材の端縁部に各耳かけ部の一端を固着し、各耳かけ部を耳に掛けた際に帯状の肉厚部の中央部分から端縁部まで伸びる帯状の肉厚部の側方部分の各々を顔面側に折り込んで各耳かけ部により顔面の頬部位に当接させるように構成し、装着時に帯状の肉厚部の長手方向に沿った上端縁部が使用者の鼻尖から鼻翼及び頬に沿って密着するように構成したことにより、装着時に呼気、吸気がマスク本体のフィルター部材を通らずに外部と連通するのを防止することができ、その結果、花粉や粉塵、細菌、ウイルスなどの吸い込みを有効に避けることができるようになる。又マスク本体の上端部と顔面との間に実質的に隙間を生じさせることがないため、使用時に特に外気の冷たい冬季において眼鏡を使用している人でも呼気による眼鏡の曇りを避けて快適に使用することが可能となる。
さらに、本考案に係るマスクは、マスク本体を実施的に不織布部材のみで構成できるので、製造コストを低く抑えることが可能となるだけでなく、比較的簡単に多量生産することができ、低価格の有用な使い捨てマスクを提供することができる。
【図面の簡単な説明】
【００１２】
【図１】本考案によるマスクのマスク本体を構成する不織布部材を示す概略斜視図。
【図２】本考案によるマスクのマスク本体を構成する不織布部材の上端部を折り曲げた状態で示す概略斜視図。
【図３】本考案によるマスクを示す概略斜視図。
【図４】本考案によるマスクの使用状態を示す概略斜視図。
【考案を実施するための形態】
【００１３】
図１は、マスクのマスク本体を構成する不織布部材１を概略斜視図で示す。不織布部材１は、花粉や粉塵、細菌及びウイルスの通過を阻止する機能を備えている。図示例では不織布部材１の形状は四辺形をなし、その上端部２は折り曲げ線３に沿って図２に示すように内側に折り曲げられて、帯状の肉厚部４を形成している。帯状の肉厚部４は不織布部材１の内側面１ａに固着され、この固着には接着剤や縫い合せや圧着等の手段が用いられ得る。帯状の肉厚部４の幅は好ましくは例えば使用する年齢層や性別などに応じて５ｍｍ〜４５ｍｍの範囲で任意に設定することができる。また、帯状の肉厚部４の厚さは折り曲げ回数を増して重ね折りすることにより設定できるが、一重から五重程度の範囲に設定するのが好ましい。
【００１４】
図３に符号８で示す耳かけ部を形成する耳かけ紐は、伸縮性の紐で構成され、各紐８の一端はそれぞれ帯状の肉厚部４の対応した端縁部６より下方の不織布部材１の側縁部９に固着され、各紐９の他端はそれぞれ不織布部材１の下方側縁部１０に固着される。
帯状の肉厚部４の中央部分５の裏側は使用者の鼻尖上に当接する当接部を構成し、また帯状の肉厚部４の長手方向中央部分５から端縁部６まで伸びる帯状の肉厚部の側方部分７の各々は、使用時には顔面の頬の部位に当接するように顔面側に折り込まれ、耳かけ紐８及び帯状の肉厚部４に隣接した不織布部材１の部分により顔面との間に圧接した状態で保持され得る。これにより、帯状の肉厚部４の長手方向に沿った上端縁部１１は使用者の鼻尖から鼻翼及び頬に沿って密着できる。
各耳かけ紐８の代わりに、不織布部材１の両側部に一体的に耳かけ部を形成してもよい。
【００１５】
このように構成した本考案によるマスクの使用について以下説明する。
まずマスク本体を構成している不織布部材１における帯状の肉厚部４の中央部分５の裏側を鼻尖に当て、各耳かけ紐８を耳に掛け、帯状の肉厚部４の長手方向中央部分５から端縁部まで伸びる帯状の肉厚部の側方部分７の各々を図４に示すように顔面の頬側に折り込み、帯状の肉厚部４の長手方向に沿った上端縁部１１が使用者の鼻尖から鼻翼及び頬に沿って密着するようにして装着される。これにより、マスク本体はその外周囲に沿って顔面と密着し、使用者の呼気及び吸気は実質的にマスク本体を横切って通過させることができる。
【符号の説明】
【００１６】
１  不織布部材
２  不織布部材１の上端部
３  折り曲げ線
４  帯状の肉厚部
５  帯状の肉厚部の中央部分
６  端縁部
７  帯状の肉厚部４の両側方部分
８  耳かけ部を成す耳かけ紐
９  不織布部材１の側縁部
１０  不織布部材１の下方側縁部
１１  帯状の肉厚部４の上縁部
【図１】
0003188554.tif 000003
【図２】
0003188554.tif 000004
【図３】
0003188554.tif 000005
【図４】
0003188554.tif 000006
【手続補正書】
【提出日】平成25年12月11日(2013.12.11)
【手続補正１】
【補正対象書類名】明細書
【補正対象項目名】００１４
【補正方法】変更
【補正の内容】
【００１４】
図３に符号８で示す耳かけ部を形成する耳かけ紐は、伸縮性の紐で構成され、各紐８の一端はそれぞれ帯状の肉厚部４の対応した端縁部６より下方の不織布部材１の側縁部９に固着され、各紐８の他端はそれぞれ不織布部材１の下方側縁部１０に固着される。
帯状の肉厚部４の中央部分５の裏側は使用者の鼻尖上に当接する当接部を構成し、また帯状の肉厚部４の長手方向中央部分５から端縁部６まで伸びる帯状の肉厚部の側方部分７の各々は、使用時には顔面の頬の部位に当接するように顔面側に折り込まれ、耳かけ紐８及び帯状の肉厚部４に隣接した不織布部材１の部分により顔面との間に圧接した状態で保持され得る。これにより、帯状の肉厚部４の長手方向に沿った上端縁部１１は使用者の鼻尖から鼻翼及び頬に沿って密着できる。
各耳かけ紐８の代わりに、不織布部材１の両側部に一体的に耳かけ部を形成してもよい。